(57)【要約】      （修正有）【課題】樹脂成形によって形成された複数の鍵を備えた鍵盤装置であって、割り当てられた音高が異なる少なくとも２つの鍵の長さを異ならせた鍵盤装置のコストを削減する。【解決手段】樹脂成形により、鍵基材１１Ｗ，１１Ｂを形成する。鍵基材１１Ｗ，１１Ｂは、鍵音高の異なる複数の鍵を形成するために共通に用いられる部材である。鍵基材１１Ｗ，１１Ｂの後端に、前後方向に間隔をおいて複数の切断部１１Ｗ５〜１１Ｗ７，１１Ｂ５〜１１Ｂ７を設ける。鍵基材１１Ｗ，１１Ｂを、形成する鍵の鍵音高に応じた切断部にて切断する。複数の鍵を支持する鍵フレームを設ける。種類の異なる複数の電子楽器に共通のフレーム基材であって、複数の鍵を支持する複数の支持部を有するフレーム基材の後端部を、複数の鍵の後端に沿うように切断して鍵フレームを形成する。【選択図】図２
2013041079.tif 000002
【特許請求の範囲】
【請求項１】
音高がそれぞれ割り当てられていて、演奏者によって押離鍵操作されて、後端部に設けられた揺動中心部まわりに揺動する複数の鍵と、
前記複数の鍵を支持するフレームとを備えた電子楽器の鍵盤装置において、
前記複数の鍵のうちの少なくとも１つの鍵は、樹脂成型によって形成された鍵基材であって、前記少なくとも１つの鍵及び他のいずれかの鍵の形成に共通に用いられる鍵基材の後端部を除去して形成されていることを特徴とする電子楽器の鍵盤装置。
【請求項２】
請求項１に記載の電子楽器の鍵盤装置において、
前記鍵基材は、前後方向に間隔をおいて設けられた複数の切断部を有し、
前記少なくとも１つの鍵は、前記鍵基材を、前記複数の切断部のうち前記少なくとも１つの鍵に割り当てられた音高に対応する切断部にて切断して形成されていることを特徴とする電子楽器の鍵盤装置。
【請求項３】
請求項２に記載の電子楽器の鍵盤装置において、
前記鍵基材は、少なくとも３つの前記切断部を有し、
前記複数の切断部は、等間隔に設けられていることを特徴とする電子楽器の鍵盤装置。
【請求項４】
請求項１乃至３に記載の電子楽器の鍵盤装置において、
前記複数の鍵のうち所定の音域に属する複数の鍵は、複数の前記鍵基材を前記複数の鍵の並び方向に対して所定の角度で同時に切断して形成されていることを特徴とする電子楽器の鍵盤装置。
【請求項５】
請求項１乃至４のうちのいずれか１つに記載の電子楽器の鍵盤装置において、
前記揺動中心部から前記鍵の後端までの距離を、全ての前記鍵について同一にしたことを特徴とする電子楽器の鍵盤装置。
【請求項６】
請求項１乃至４のうちのいずれか１つに記載の電子楽器の鍵盤装置において、
前記複数の鍵のうちの長い鍵ほど、前記揺動中心部から前記鍵の後端までの距離を大きくしたことを特徴とする電子楽器の鍵盤装置。
【請求項７】
請求項１乃至６のうちのいずれか１つに記載の電子楽器の鍵盤装置において、
前記フレームは、種類の異なる複数の前記電子楽器に共通のフレーム基材であって、前記複数の鍵をそれぞれ支持する複数の支持部を備えたフレーム基材の後端部における、前記複数の鍵が前記複数の支持部にそれぞれ組み付けられたときの前記複数の鍵の後端よりも後方の領域を除去して形成されていることを特徴とする電子楽器の鍵盤装置。
【請求項８】
請求項７に記載の電子楽器の鍵盤装置において、
前記支持部は、前後方向に間隔をおいて配置された複数の支持部材を有し、
前記鍵は、前記複数の支持部材のうち、前記鍵の長さに対応する支持部材によって支持され、
前記フレームは、前記フレーム基材における、前記鍵の長さに対応する支持部材よりも後方の領域を除去して形成されていることを特徴とする電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、アコースティックピアノの鍵タッチ感（押離鍵操作に対する反力）を模擬するために、割り当てられた音高が高い鍵ほど、鍵の前端の鍵タッチ感を軽くした電子楽器の鍵盤装置は知られている。この鍵盤装置においては、鍵にそれぞれ係合して揺動し、それぞれの鍵の押離鍵操作に対する反力を付与する複数のハンマーを備えている。そして、低音部の鍵から高音部の鍵に向かうに従って、後端部に設けられた鍵の支点から鍵の前端までの長さを徐々に長くしている。また、鍵の支点から、ハンマーと鍵との係合位置までの距離を、全ての鍵について同一にしている。
【先行技術文献】
【特許文献】
【０００３】
【特許文献１】特許３０７４７９４号公報
【発明の概要】
【０００４】
上記従来の鍵盤装置においては、鍵ごとに長さが異なるので、鍵を樹脂成形によって一体的に形成する場合、鍵ごとに金型を製作する必要が有り、コストがかかる。
【０００５】
本発明は上記問題を解決するためになされたものであり、その目的は、樹脂成形によって形成された複数の鍵を備えた鍵盤装置であって、割り当てられた音高が異なる少なくとも２つの鍵の長さを異ならせた鍵盤装置のコストを削減することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
前記目的を達成するため、本発明の特徴は、音高がそれぞれ割り当てられていて、演奏者によって押離鍵操作されて、後端部に設けられた揺動中心部まわりに揺動する複数の鍵（１１ｗ，１１ｂ）と、複数の鍵を支持するフレーム（１２）とを備えた電子楽器の鍵盤装置において、複数の鍵のうちの少なくとも１つの鍵は、樹脂成型によって形成された鍵基材（１１Ｗ，１１Ｂ）であって、前記少なくとも１つの鍵及び他のいずれかの鍵の形成に共通に用いられる鍵基材の後端部を除去して形成されていることにある。この場合、鍵基材は、前後方向に間隔をおいて設けられた複数の切断部（１１Ｗ５〜１１Ｗ８，１１Ｂ５〜１１Ｂ８）を有し、前記少なくとも１つの鍵は、鍵基材を、複数の切断部のうち前記少なくとも１つの鍵に割り当てられた音高に対応する切断部にて切断して形成されているとよい。また、この場合、鍵基材は、少なくとも３つの切断部を有し、複数の切断部は、等間隔に設けられているとよい。また、この場合、揺動中心部から鍵の後端までの距離を、全ての鍵について同一にするとよい。
【０００７】
上記のように構成した鍵盤装置によれば、樹脂成型によって、同一の鍵基材を複数形成しておき、前記同一の鍵基材を異なる位置にて切断することにより、割り当てられた音高の異なる複数の鍵を形成できる。すなわち、長さが異なる鍵を形成するために、鍵ごとに樹脂成型用の金型を製作する場合に比べて、金型の種類を減らすことができるので、初期費用を削減できる。また、部品の種類を減らすことができるので、部品の管理費を削減できる。また、適用する電子楽器の種類に応じて、鍵基材の切断位置を異ならせることにより、鍵タッチ感の特性の異なる様々な種類の鍵盤装置を構成できる。
【０００８】
また、本発明の他の特徴は、複数の鍵のうち所定の音域に属する複数の鍵は、複数の鍵基材を複数の鍵の並び方向に対して所定の角度で同時に切断して形成されていることにある。これによれば、鍵基材を音高順に並べておき、弓鋸盤、帯鋸盤、丸鋸盤などの切断機により、前記並べておいた鍵基材を同時に切断するので、加工時間を短縮できる。
【０００９】
また、本発明の他の特徴は、複数の鍵のうちの長い鍵ほど、揺動中心部から鍵の後端までの距離を大きくしたことにある。押離鍵操作位置が鍵の左端部又は右端部であると、鍵の長手方向の軸回りにねじれが生じ、このねじれの量は、鍵の支点から前記押離鍵操作位置までの距離が大きいほど大きくなる。すなわち、鍵が長いほど、大きなねじれが発生する可能性がある。そこで、上記のように構成すれば、長い鍵ほど、鍵の長手方向の軸線まわりのねじり剛性を高めることができ、大きなねじれの発生を防止できる。
【００１０】
また、本発明の他の特徴は、フレームは、種類の異なる複数の電子楽器に共通のフレーム基材（１２Ａ）であって、複数の鍵をそれぞれ支持する複数の支持部を備えたフレーム基材の後端部における、複数の鍵が複数の支持部にそれぞれ組み付けられたときの複数の鍵の後端よりも後方の領域を除去して形成されていることにある。この場合、支持部は、前後方向に間隔をおいて配置された複数の支持部材を有し、鍵は、複数の支持部材のうち、鍵の長さに対応する支持部材によって支持され、フレームは、フレーム基材における、鍵の長さに対応する支持部材よりも後方の領域を除去して形成されているとよい。
【００１１】
上記のように構成した鍵盤装置によれば、フレーム基材は、種類の異なる複数の電子楽器に共通なので、部品の種類を削減でき、部品の管理費を削減できる。また、短い鍵の後方にスペースを設けることができるので、電子楽器の本体内部の限られた空間をより効率的に利用できる。
【図面の簡単な説明】
【００１２】
【図１】本発明の一実施形態に係る鍵盤装置の全体概略図である。
【図２】図１の鍵盤装置の鍵を形成するための鍵基材の底面図である。
【図３】図１の鍵盤装置の鍵フレームを形成するためのフレーム基材の底面図である。
【図４】図１の鍵盤装置の高音部の白鍵についての右側面図である。
【図５】図１の鍵盤装置の高音部の黒鍵についての右側面図である。
【図６】質量体の質量の特性を示す特性図である。
【図７】鍵タッチ感の特性を示す特性図である。
【図８】本発明の変形例に係る鍵盤装置の全体概略図である。
【図９】図８の鍵盤装置の鍵を形成するための鍵基材の底面図である。
【図１０】本発明の他の変形例に係る鍵盤装置の全体概略図である。
【図１１】図１０の鍵盤装置の鍵を形成するための鍵基材の底面図である。
【図１２】図１０の鍵盤装置の鍵フレームを形成するためのフレーム基材の底面図である。
【発明を実施するための形態】
【００１３】
以下、本発明の一実施形態について図面を用いて説明する。以下の説明では、演奏者に近い側を「前側」とし、演奏者から遠い側を「後側」とする。また、高音部側を「右側」とし、低音部側を「左側」とする。
【００１４】
この鍵盤装置は、図１に示すように、複数の白鍵１１ｗ及び複数の黒鍵１１ｂを有している。この鍵盤装置の全体の音域（Ｃ３〜Ｃ６）は、低音部Ｌ（Ｃ３〜Ｂ３）、中音部Ｍ（Ｃ４〜Ｂ４）及び高音部Ｈ（Ｃ５〜Ｃ６）の３つの音域に分割されている。低音部Ｌに属する白鍵１１ｗ及び黒鍵１１ｂは、それぞれ中音部Ｍに属する白鍵１１ｗ及び黒鍵１１ｂよりも長い。また、高音部Ｈに属する白鍵１１ｗ及び黒鍵１１ｂは、それぞれ中音部Ｍに属する白鍵１１ｗ及び黒鍵１１ｂよりも短い。また、それぞれの音域において、白鍵１１ｗは黒鍵１１ｂに比べて長い。
【００１５】
中音部Ｍ及び高音部Ｈに属する白鍵１１ｗは、図２に示すように、白鍵の音名ごと（すなわち、Ｃ、Ｄ、Ｅ、Ｆ、Ｇ、Ａ及びＢ）に、それぞれ樹脂成形により一体的に形成された鍵基材１１Ｗ（Ｃ）〜鍵基材１１Ｗ（Ｂ）の後端部を切断して形成される。なお、低音部Ｌにおいては、鍵基材１１Ｗ（Ｃ）〜鍵基材１１Ｗ（Ｂ）を切断することなく、そのまま白鍵１１ｗとして用いる。鍵基材１１Ｗ（Ｃ）〜鍵基材１１Ｗ（Ｂ）は、それぞれ前部及び後部からなる。後部の左右方向の幅は、前部の左右方向の幅に比べて狭い。後部は、前部の後端から後方へ延設されていて、割り当てられた音名によって、後部と前部との左右方向の接続位置が異なる。すなわち、鍵基材１１Ｗの外形は、割り当てられた音名ごとに異なる。後部の構成は、鍵基材１１Ｗ（Ｃ）〜鍵基材１１（Ｂ）について共通である。そこで、以下、鍵基材１１Ｗ（Ｃ）〜鍵基材１１Ｗ(Ｂ)を鍵基材１１Ｗとして説明する。ただし、割り当てられた音名を特定する必要があるときは、符号に音名を付して説明する。
【００１６】
鍵基材１１Ｗの後端部の下面には、後端から前端側へ向かって４つのリブ１１Ｗ１〜１１Ｗ４がこの順に設けられている。隣り合うリブ同士の間には、リブの無い境界部が設けられている。このリブ１１Ｗ１とリブ１１Ｗ２との間の境界部を第１切断部１１Ｗ５と呼び、リブ１１Ｗ２とリブ１１Ｗ３との間の境界部を第２切断部１１Ｗ６と呼ぶ。また、リブ１１Ｗ３とリブ１１Ｗ４との間の境界部を第３切断部１１Ｗ７と呼ぶ。第１切断部１１Ｗ５と第２切断部１１Ｗ６との間隔は、第２切断部１１Ｗ６と第３切断部１１Ｗ７との間隔と同一である。中音部Ｍに属する白鍵１１ｗは、鍵基材１１Ｗを第１切断部１１Ｗ５にて切断して形成され、高音部Ｈに属する白鍵１１ｗは、鍵基材１１Ｗを第２切断部１１Ｗ６にて切断して形成される。
【００１７】
中音部Ｍ及び高音部Ｈに属する黒鍵１１ｂも、白鍵１１ｗと同様に、樹脂成形により一体的に形成された鍵基材１１Ｂの後端部を切断して形成される。鍵基材１１Ｂは、全ての黒鍵１１ｂについて共通である。鍵基材１１Ｂの後端部の下面には、後端から前端側へ向かって４つのリブ１１Ｂ１〜１１Ｂ４がこの順に設けられている。リブ１１Ｂ１とリブ１１Ｂ２との間の境界部を第１切断部１１Ｂ５と呼び、リブ１１Ｂ２とリブ１１Ｂ３との間の境界部を第２切断部１１Ｂ６と呼ぶ。また、リブ１１Ｂ３とリブ１１Ｂ４との間の境界部を第３切断部１１Ｂ７と呼ぶ。第１切断部１１Ｂ５と第２切断部１１Ｂ６の間隔は、第２切断部１１Ｂ６と第３切断部１１Ｂ７の間隔は同一である。中音部Ｍに属する黒鍵１１ｂは、鍵基材１１Ｂを第１切断部１１Ｂ５にて切断して形成され、高音部Ｈに属する黒鍵１１ｂは、鍵基材１１Ｂを第２切断部１１Ｂ６にて切断して形成される。なお、低音部Ｌにおいては、鍵基材１１Ｂを切断することなく、そのまま黒鍵１１ｂとして用いる。
【００１８】
また、鍵基材１１Ｗを音名順に配置し、かつ鍵基材１１Ｂを所定の鍵基材１１Ｗの間に配置した状態において、各鍵基材の、第１切断部１１Ｗ５〜第３切断部１１Ｗ７、及び第１切断部１１Ｂ５〜第３切断部１１Ｂ７の前後方向の位置がそれぞれ同一である（図２参照）。したがって、１オクターブの音域に属する１２個の鍵を形成するための鍵基材１１Ｗ及び鍵基材１１Ｂ（以下、１オクターブ分の鍵基材という）を上記のように配置しておけば、弓鋸盤、帯鋸盤、丸鋸盤などの切断機の刃が各第１切断部１１Ｗ５及び各第１切断部１１Ｂ５に直線的に通るように、１オクターブ分の鍵基材を前記切断機にセットすることができる。これにより、前記切断機を用いて、１オクターブ分の鍵基材を、第１切断部１１Ｗ５及び第１切断部１１Ｂ５にて、同時に切断することができる。すなわち、中音部Ｍの白鍵１１ｗ及び黒鍵１１ｂを同時に形成できる。また、１オクターブ分の鍵基材を上記のように配置しておいて、第２切断部１１Ｗ６及び第２切断部１１Ｂ６にて、同時に切断すれば、高音部Ｈの白鍵１１ｗ及び黒鍵１１ｂを同時に形成できる。なお、１オクターブ分の鍵基材を同時に切断しなくてもよく、数鍵分の鍵基材１１Ｗ及び鍵基材１１Ｂを同時に切断してもよい。
【００１９】
音域の違いによる白鍵１１ｗ及び黒鍵１１ｂの違いは、前後方向の長さのみであって、他の構成は同様である。したがって、以下、高音部Ｈの白鍵１１ｗ及び黒鍵１１ｂの構成、並びにそれらの周辺部を説明して、中音部Ｍ及び低音部Ｌについての説明を省略する。白鍵１１ｗは、黒鍵１１ｂに比べて、上下方向の幅が小さく、左右方向の幅が大きい。白鍵１１ｗ及び黒鍵１１ｂは、前後方向に延設された薄肉の上壁及び上壁の左右端からそれぞれ下方へ延設された薄肉の側壁を有し、下方に開放した中空状に形成されている。また、白鍵１１ｗ及び黒鍵１１ｂの左右の側壁の後部には、穴あけ加工が施されて、対向する貫通孔Ｋｗ及び貫通孔Ｋｂがそれぞれ設けられる。貫通孔Ｋｗ及び貫通孔Ｋｂから、それぞれの鍵の後端までの距離は、音域によらず全ての鍵について同一である。そして、白鍵１１ｗ及び黒鍵１１ｂは、鍵フレーム１２の鍵支持部１３により支持されている。
【００２０】
鍵フレーム１２は、図３乃至図５に示すように、フレーム基材１２Ａの後端部を切除して形成される。なお、図３は、フレーム基材１２Ａを底面側から見た図であるので、同図において、左側が高音部側であり、右側が低音部側である。また、図３においては、鍵支持部１３の配置を示すために、鍵ごとに設けられた鍵支持部１３のうちのいくつかの鍵支持部１３を破線の四角形で概略的に示している。また、図４及び図５においては、フレーム基材１２Ａの切除した部分を一点鎖線で示している。フレーム基材１２Ａは、後述するように、適用する電子楽器の種類に応じて鍵タッチ感の特性を異ならせた複数種類の鍵盤装置の鍵フレームを形成するために共通に用いられる部品である。フレーム基材１２Ａは、樹脂成型により一体的に形成され、左右方向に延設されている。フレーム基材１２Ａは、高音部側の端部から、低音部Ｌと中音部Ｍの境界まで左右方向に延設され、さらに前後方向に延設されてフレーム基材１２Ａの後端に至る第１切断部１２Ａ１を有する。また、第１切断部１２Ａ１の前方にて、高音部Ｈ側の端部から、高音部Ｈと中音部Ｍの境界まで左右方向に延設され、さらに前後方向に延設されて第１切断部１２Ａ１に至る第２切断部１２Ａ２を有する。第１切断部１２Ａ１及び第２切断部１２Ａ２には、後述するリブ１２ｄが形成されていない。したがって、第１切断部１２Ａ１及び第２切断部１２Ａ２は、他の部分に比べて切断加工し易くなっている。
【００２１】
本実施形態においては、低音部Ｌ、中音部Ｍ及び高音部Ｈの順に、鍵の長さを段階的に短くしている。そこで、鍵フレーム１２の後端の位置が鍵の後端の位置に沿うように、フレーム基材１２Ａを、第１切断部１２Ａ１及び第２切断部１２Ａ２にて切断して、鍵フレーム１２を形成している。すなわち、鍵フレーム１２の後端は、平面視において、階段状に形成されている。鍵フレーム１２は、前後方向及び左右方向に延設された前板１２ａ及び後板１２ｂを有する。上記の鍵支持部１３は、後板１２ｂの上面から上方へ突出するように形成されている。各鍵支持部１３は、鍵フレーム１２の後端に沿って形成されている。すなわち、低音部Ｌの鍵支持部１３は、中音部Ｍの鍵支持部１３よりも後方に設けられ、高音部Ｈの鍵支持部１３は、中音部Ｍの鍵支持部１３よりも前方に設けられている。各音域における各鍵支持部１３の前後方向の位置は同一である。
【００２２】
各鍵支持部１３は、それぞれ対向する２枚の板状に形成されている。前記対向する２枚の板状の部分には、貫通孔１３ａがそれぞれ設けられている。この２つの貫通孔１３ａは、対向している。そして、前記対向する２枚の板状の部分の間に白鍵１１ｗを挟み、貫通孔１３ａと貫通孔Ｋｗの位置を合わせておいて、貫通孔１３ａ及び貫通孔ＫｗにピンＰＮを挿入する。これにより、白鍵１１ｗは、ピンＰＮの回りに回転可能に支持され、白鍵１１ｗの前端部が上下方向に揺動可能となっている。黒鍵１１ｂも白鍵１１ｗと同様に支持されている。
【００２３】
前板１２ａ及び後板１２ｂには、上下方向及び前後方向に延設された複数のリブ１２ｄの上端部が一体的に接続されている。リブ１２ｄは、左右方向に薄肉であり、左右方向に所定の間隔をおいて設けられている。また、リブ１２ｄは、前板１２ａの前端よりも前方へ張り出している。この張り出した部分に、後述のレール部１７，１９，２１が設けられる。
【００２４】
また、白鍵１１ｗの中間部から下方へ向かって駆動部１１ｗ１が延設されている。駆動部１１ｗ１は、上下に延設された薄肉の前壁及び前壁の左右端からそれぞれ後方へ延設された薄肉の側壁を有し、後方に開放した中空状に形成されている。駆動部１１ｗ１の下端は下端壁により閉じている。一方、黒鍵１１ｂも白鍵１１ｗと同様の駆動部１１ｂ１を有する。黒鍵１１ｂは、離鍵状態において白鍵１１ｗの上面よりも上方に突出した部分（以下、黒鍵１１ｂの見え掛り部という。）の前端から下方へ延設された後、僅かに前方へ湾曲させられた連結部を有し、この連結部の先端に、駆動部１１ｂ１の上端が接続されている。駆動部１１ｗ１と駆動部１１ｂ１の前後方向の位置は同一であり、駆動部１１ｗ１と駆動部１１ｂ１の下端壁の上下方向の位置も同一である。すなわち、駆動部１１ｗ１及び駆動部１１ｂ１は、黒鍵１１ｂの見え掛り部の前端よりも前方に位置する。前板１２ａの前方に設けられた上下に開口した開口部内にて、駆動部１１ｗ１及び駆動部１１ｂ１の下端部が、ハンマー１６ｗ及びハンマー１６ｂの前端部にそれぞれ係合している。
【００２５】
ハンマー１６ｗは、合成樹脂製の基部１６ｗ１と、金属製の連結棒１６ｗ２及び質量体１６ｗ３とからなる。ハンマー１６ｂは、ハンマー１６ｗと同様に、基部１６ｂ１、連結棒１６ｗ２及び質量体１６ｂ３からなる。基部１６ｗ１及び基部１６ｂ１は、板状の部材であって、右側面から左側面に貫通する貫通孔Ｈｗ及び貫通孔Ｈｂを有する。また、隣り合うリブ１２ｄの下端部を繋ぐようにして、レール部１７が左右方向に延設されている。レール部１７は、前板１２ａ及び後板１２ｂに比べて前後方向の幅が狭い。レール部１７の上面には、上方に突出するようにして、ハンマー支持部１８ｗ及びハンマー支持部１８ｂが形成されている。ハンマー支持部１８ｗ及びハンマー支持部１８ｂは、それぞれ対向する２枚の板状に形成されていて、それぞれ内側に対向する突出部１８ｗ１及び突出部１８ｂ１を備えている。前記突出部１８ｗ１及び突出部１８ｂ１は、貫通孔Ｈｗ及び貫通孔Ｈｂにそれぞれ嵌合している。これにより、基部１６ｗ１及び基部１６ｂ１は、突出部１８ｗ１及び突出部１８ｂ１回りに回転可能に支持されている。すなわち、ハンマー１６ｗ及びハンマー１６ｂは、前端部及び後端部が上下方向に揺動可能に支持されている。ハンマー支持部１８ｗ及びハンマー支持部１８ｂの前後方向の位置は、全てのハンマー１６ｗ及びハンマー１６ｂについて共通である。
【００２６】
また、基部１６ｗ１は、前端部に上下一対の脚部Ｆｗ１及び脚部Ｆｗ２を備え、上側に位置する脚部Ｆｗ１は下側に位置する脚部Ｆｗ２より短く形成されている。基部１６ｂ１も、基部１６ｗ１と同様に、前端部に上下一対の脚部Ｆｂ１及び脚部Ｆｂ２を備えている。脚部Ｆｗ１と脚部Ｆｗ２の間には、駆動部１１ｗ１の下端壁が侵入しており、脚部Ｆｂ１と脚部Ｆｂ２の間には、駆動部１１ｂ１の下端壁が侵入している。脚部Ｆｗ１及び脚部Ｆｂ１は、それぞれ、駆動部１１ｗ１及び駆動部１１ｂ１の下端壁と、駆動部１１ｗ１及び駆動部１１ｂ１内であって、それぞれの下端壁との間に隙間を形成する中間壁との間に侵入している。駆動部１１ｗ１及び駆動部１１ｂ１の下端壁には、ゴム、ウレタン、フエルトなどの衝撃吸収材が嵌め込まれて固着されている。この衝撃吸収材は、駆動部１１ｗ１と脚部Ｆｗ２の上面との衝突、駆動部１１ｂ１の下端と脚部Ｆｂ２の上面との衝突、駆動部１１ｗ１の下端と脚部Ｆｗ１の下面との衝突、及び駆動部１１ｂ１の下端と脚部Ｆｂ１の下面との衝突による衝撃をそれぞれ緩和している。
【００２７】
基部１６ｗ１及び基部１６ｂ１の後端部に、連結棒１６ｗ２及び連結棒１６ｂ２の前端部がそれぞれ組み付けられている。連結棒１６ｗ２及び連結棒１６ｂ２は、それぞれ後方へ延設されている。連結棒１６ｗ２と連結棒１６ｂ２の後端の前後方向の位置は同一である。そして、次に説明する質量体１６ｗ３及び質量体１６ｂ３の後端が白鍵１１ｗ及び黒鍵１１ｂの後端よりも前方に位置するように、連結棒１６ｗ２及び連結棒１６ｂ２の長さが調整されている。
【００２８】
上記のように、音域によって、鍵の支点の位置が異なる。したがって、音域によって、白鍵１１ｗの揺動中心から脚部Ｆｗ２における駆動部１１ｗ１との当接部Ｐｗ１までの距離が異なる。また、音域によって、黒鍵１１ｂの揺動中心から脚部Ｆｂ２における駆動部１１ｂ１との当接部Ｐｂ１までの距離が異なる。さらに、白鍵１１ｗにおいては、押離鍵操作される可能性のある位置の前端である押離鍵操作位置Ｗ０が当椄部Ｐｗ１よりも前方に位置するのに対して、黒鍵１１ｂにおいては、押離鍵操作される可能性のある位置の前端（すなわち、見え掛り部の前端）である押離鍵操作位置Ｂ０が当椄部Ｐｂ１の後方に位置している。したがって、全ての鍵について質量体１６ｗ３及び質量体１６ｂ３の質量が同一であれば、てこの原理によって、押離鍵操作位置Ｗ０，Ｂ０においては、低音部Ｌよりも中音部Ｍの鍵タッチ感が重く、中音部Ｍよりも高音部Ｈの鍵タッチ感がさらに重い。また、この場合、各音域における白鍵１１ｗと黒鍵１１ｂの鍵タッチ感が統一されない。すなわち、白鍵１１ｗの鍵タッチ感に比べて黒鍵１１ｂの鍵タッチ感の方が重い。そこで、図６に示すように、質量体１６ｗ３及び質量体１６ｂ３の質量を鍵ごとに調整して、図７に示すように、押離鍵操作位置Ｗ０，Ｂ０における鍵タッチ感を、低音から高音へ向かうに従って徐々に軽くしている。したがって、図７に破線で示すように、押離鍵操作位置Ｗ０，Ｂ０からそれぞれ距離ｄだけ後方に位置する押離鍵操作位置Ｗ１，Ｂ１における鍵タッチ感も、低音から高音へ向かうに従って徐々に軽くなっている。ただし、音域によって鍵の長さが異なるので、押離鍵操作位置Ｗ０，Ｂ０における鍵タッチ感と、押離鍵操作位置Ｗ１，Ｂ１における鍵タッチ感との差は、低音から高音に向かうに従って大きくなる。すなわち、押離鍵操作位置の前後方向の違いによる鍵タッチ感の違いは、低音部Ｌにおいて小さく、中音部Ｍにおいて中程度であり、高音部Ｈにおいて大きい。
【００２９】
白鍵１１ｗ及び黒鍵１１ｂの離鍵時には、ハンマー１６ｗ及びハンマー１６ｂは、自重により、前端部が上方へ変位する。このとき、脚部Ｆｗ２及び脚部Ｆｂ２により駆動部１１ｗ１及び駆動部１１ｂ１がそれぞれ上方へ付勢され、白鍵１１ｗ及び黒鍵１１ｂの前端部はそれぞれ上方へ変位する。一方、白鍵１１ｗ及び黒鍵１１ｂの押鍵時には、駆動部１１ｗ１及び駆動部１１ｂ１の下端面が脚部Ｆｗ２及び脚部Ｆｂ２の上面をそれぞれ押圧し、ハンマー１６ｗ及びハンマー１６ｂの前端部がそれぞれ下方へ変位する。
【００３０】
また、隣り合うリブ１２ｄの前端部を繋ぐようにして、レール部１９が左右方向に延設されている。レール部１９の前後方向の幅は、前板１２ａ及び後板１２ｂの前後方向の幅に比べて狭い。レール部１９の上面から上方に突出するようにして、白鍵１１ｗの揺動をガイドするための鍵ガイド１９ｗが形成されている。鍵ガイド１９ｗは、白鍵１１ｗに下方から侵入しており、押離鍵時に鍵ガイド１９ｗの側面と白鍵１１ｗの側壁の内側の面が摺接するようになっている。これにより、押離鍵時の白鍵１１ｗの左右方向の微少な変位を抑制している。
【００３１】
また、隣り合うリブ１２ｄの上端部であって、黒鍵１１ｂの見え掛り部の前端部の下方に位置する部分を繋ぐようにして、レール部２１が左右方向に延設されている。レール部２１の前後方向の幅は、前板１２ａ及び後板１２ｂの前後方向の幅に比べて狭い。レール部２１の上面から上方に突出するようにして、黒鍵１１ｂの揺動をガイドするための鍵ガイド２１ｂが形成されている。鍵ガイド２１ｂは、黒鍵１１ｂに下方から侵入しており、押離鍵時に鍵ガイド２１ｂの側面と黒鍵１１ｂの側壁の内側の面が摺接するようになっている。これにより、押離鍵時の黒鍵１１ｂの左右方向の微少な変位を抑制している。
【００３２】
また、各リブ１２ｄの中間部には、上端から下方へ向かって方形状に切り欠いた、切り欠き１２ｄ１が設けられている。この切り欠き１２ｄ１を一体成型により形成するために、切り欠き１２ｄ１の上方に位置する前板１２ａの中間部には、上面から下面に貫通した方形状の貫通孔が設けられている。そして、前板１２ａの下面には、フエルトなどの衝撃吸収材によって構成した長尺状の下限ストッパ２２が、リブ１２ｄの切り欠き１２ｄ１を通って、左右方向に延設されて固着されている。この下限ストッパ２２は、押鍵時にハンマー１６ｗ及びハンマー１６ｂの後部に当接して、ハンマー１６ｗ及びハンマー１６ｂの後端部の上方への変位を規制することにより、白鍵１１ｗ及び黒鍵１１ｂの前端部の下方への変位を規制する。また、フレームＦＲの後部には、フエルトなどの衝撃吸収材によって構成した上限ストッパ２３が、固着されている。離鍵時において、質量体１６ｗ３及び質量体１６ｂ３の下面に当接して、ハンマー１６ｗ及びハンマー１６ｂの後端部の下方への変位を規制することにより、白鍵１１ｗ及び黒鍵１１ｂの前端部の上方への変位を規制する。
【００３３】
また、白鍵１１ｗ及び黒鍵１１ｂの中間部の下面には、スイッチ駆動部２４が設けられている。スイッチ駆動部２４は、基板２５上に配置されたスイッチＳＷの上面に当接している。スイッチＳＷは、鍵ごとに設けられ、各鍵の揺動に伴って押圧されて、各鍵の押離鍵状態を検出する。また、基板２５には、上面から下面に貫通した貫通孔が設けられている。この貫通孔の位置は、前板１２ａの上面に一体的に形成されたボス２６の位置に対応している。この貫通孔にねじを通してボス２６にねじ込むことにより、基板２５が、鍵フレーム１２に固定される。
【００３４】
また、リブ１２ｄとレール部１７の接続部には、ボス２７が形成されている。電子楽器のフレームＦＲに貫通孔を設けておいて、この貫通孔にねじを下方から通して、ボス２７にねじ込むことにより、この鍵盤装置が電子楽器のフレームＦＲに固定される。
【００３５】
また、隣り合うリブ１２ｄの間には、支柱２８が設けられている。支柱２８は、下端がフレームＦＲに固定され、上端が後板１２ｂの後端部の下面に固定される。これにより、後板１２ｂの後端部であって、隣り合うリブ１２ｄの間の部分を補強している。
【００３６】
なお、フレーム基材１２Ａの上面側であって、フレーム基材１２Ａの後端と第１切断部１２Ａ１との間、及び第１切断部１２Ａ１と第２切断部１２Ａ２との間にも、左右方向に複数の鍵支持部１３が並設されている（図３、図４及び図５を参照）。言い換えれば、高音部Ｈにおいては、音高ごとに、前後方向に３つの鍵支持部１３が並設され、中音部Ｍにおいては、音高ごとに、前後方向に２つの鍵支持部１３が並設されている。
【００３７】
例えば、高音部Ｈの鍵の長さが中音部Ｍの鍵の長さと共通である鍵盤装置においては、フレーム基材１２Ａを第１切断部１２Ａ１にて切断して、鍵フレームを形成すればよい。この場合、高音部Ｈにおいては、第１切断部１２Ａ１と第２切断部１２Ａ２との間に設けられた各鍵支持部１３にて各鍵を支持すればよい。また、高音部Ｈ及び中音部Ｍの鍵の長さが低音部Ｌの鍵の長さと共通である鍵盤装置においては、フレーム基材１２Ａを加工することなく、そのまま鍵フレームとして用いればよい。この場合、高音部Ｈ及び中音部Ｈにおいては、フレーム基材１２Ａの後端と第１切断部１２Ａ１との間に設けられた各鍵支持部１３にて、各鍵を支持すればよい。
【００３８】
上記のように構成した鍵盤装置においては、中音部Ｍ及び高音部Ｈの白鍵１１ｗ及び黒鍵１１ｂを、それぞれ鍵基材１１Ｗ及び鍵基材１１Ｂの後端部を切断して形成した。そして、低音部Ｌの白鍵１１ｗ及び黒鍵１１ｂは、鍵基材１１Ｗ及び鍵基材１１Ｂをそのまま用いた。したがって、１オクターブ分の鍵基材を形成するための金型を製作すればよいので、長さが異なる鍵ごとに金型を製作する場合に比べて初期費用を削減できる。また、上記のように、複数の鍵基材１１Ｗ及び鍵基材１１Ｂを同時に切断して、複数の白鍵１１ｗ及び黒鍵１１ｂ同時に形成すれば、加工時間を短縮できるので、鍵基材１１Ｗ及び鍵基材１１Ｂを１つずつ切断する場合に比べてコストを削減できる。
【００３９】
また、フレーム基材１２Ａを第１切断部１２Ａ１及び第２切断部１２Ａ２にて切断して、後端の位置が各鍵の後端に沿うような鍵フレーム１２を形成したので、中音部Ｍ及び高音部Ｈの後方にスペースを設けることができる。すなわち、電子楽器において鍵盤装置が占有する領域を小さくすることができる。したがって、前記スペースに電子楽器を構成する他の部品（電源トランス、スピーカーなど）を配置することができ、電子楽器の本体内部の限られた空間を効率的に利用できる。また、フレーム基材１２Ａは、鍵タッチ感の特性が異なる複数種類の鍵盤装置の鍵フレームを形成するための共通部品である。したがって、種類の異なる鍵盤装置ごとに鍵フレームを形成するための金型を製作する場合に比べて初期費用を削減できる。また、部品の種類を減らすことができるので、部品の管理費を削減できる。
【００４０】
さらに、本発明の実施にあたっては、上記実施形態に限定されるものではなく、本発明の目的を逸脱しない限りにおいて種々の変更が可能である。
【００４１】
例えば、図８に示すように、割り当てられた音高が高くなるに従って、鍵支持部Ｋｗ，Ｋｂが徐々に演奏者側に近づくようにしてもよい。すなわち、白鍵１１ｗ及び黒鍵１１ｂを、割り当てられた音高が高くなるに従って、それぞれ徐々に短くしてもよい。上記実施形態においては、鍵基材１１Ｂは、黒鍵の全ての音名について共通であるが、この場合、鍵基材１１Ｗと同様に、鍵基材１１Ｂを黒鍵の音名（Ｃ＃，Ｄ＃・・・Ａ＃）ごとに設ければよい。以下、鍵基材１１Ｂ（Ｃ＃）〜鍵基材１１Ｂ（Ａ＃）を鍵基材１１Ｂとして説明するが、割り当てられた音名を特定する必要があるときは、符号に音名を付して説明する。鍵基材１１Ｗ及び鍵基材１１Ｂは、図９に示すように、鍵基材１１Ｗ及び鍵基材１１Ｂをそれらの音名順に並べた状態において、低音側から高音側へ向かうに従って、リブ１１Ｗ１〜リブ１１Ｗ４の領域、及びリブ１１Ｂ１〜リブ１１Ｂ４の領域が徐々に演奏者側に近づくように形成される。これにより、鍵基材１１Ｗ(Ｃ)を除いて、リブ１１Ｗ１、及びリブ１１Ｂ１の後方にリブの無い部分が形成され、このリブ１１Ｗ１及びリブ１１Ｂ１の後方に形成されたリブの無い部分を、それぞれ第１切断部１１Ｗ５及び第１切断部１１Ｂ５と呼ぶ。鍵基材１１Ｗ（Ｃ）は、第１切断部１１Ｗ１を有していない。そして、リブ１１Ｗ１とリブ１１Ｗ２と間の境界部を第２切断部１１Ｗ６と呼び、リブ１１Ｗ２とリブ１１Ｗ３との間の境界部を第３切断部１１Ｗ７と呼ぶ。さらに、リブ１１Ｗ３とリブ１１Ｗ４との間の境界部を第４切断部１１Ｗ８と呼ぶ。また、リブ１１Ｂ１とリブ１１Ｂ２との間の境界部を第２切断部１１Ｂ６と呼び、リブ１１Ｂ２とリブ１１Ｂ３との間の境界部を第３切断部１１Ｂ７と呼ぶ。さらに、リブ１１Ｂ３とリブ１１Ｂ４との間の境界部を第４切断部１１Ｂ８と呼ぶ。上記実施形態と同様に、隣り合う切断部の間隔は同一である。
【００４２】
また、鍵基材１１Ｗ（Ｃ）と鍵基材１１Ｗ（Ｂ）をぞれぞれの前端を揃えて並べた状態において、鍵基材１１Ｗ（Ｃ）の第２切断部１１Ｗ２は、鍵基材１１Ｗ（Ｂ）の第１切断部１１Ｗ１よりも僅かに前方に位置する。
【００４３】
低音部Ｌに属する白鍵１１ｗ及び黒鍵１１ｂは、鍵基材１１Ｗ及び鍵基材１１Ｂを第１切断部１１Ｗ５及び第１切断部１１Ｂ５にてそれぞれ切断して形成され、中音部Ｍに属する白鍵１１ｗ及び黒鍵１１ｂは、鍵基材１１Ｗ及び鍵基材１１Ｂを第２切断部１１Ｗ６及び第２切断部１１Ｂ６にてそれぞれ切断して形成される。また、高音部Ｈに属する白鍵１１ｗ及び黒鍵１１ｂは、鍵基材１１Ｗ及び鍵基材１１Ｂを第３接段部１１Ｗ７及び第３切断部１１Ｂ７にてそれぞれ切断して形成される。この場合、鍵基材１１Ｗ及び鍵基材１１Ｂを１つずつ切断すればよい。なお、鍵基材１１Ｗ及び鍵基材１１Ｂの各切断部は、前後方向に所定の幅を有する。そこで、鍵基材１１Ｗ及び鍵基材１１Ｂを音名順に配置し配置しておけば、弓鋸盤、帯鋸盤、丸鋸盤などの切断機の刃が各第１切断部１１Ｗ５及び各第１切断部１１Ｂ５に直線的に通るように、１オクターブ分の鍵基材を前記切断機にセットすることができる。これにより、前記切断機を用いて、１オクターブ分の鍵基材を、第１切断部１１Ｗ５及び第１切断部１１Ｂ５にて、同時に切断することができる。すなわち、中音部Ｍの白鍵１１ｗ及び黒鍵１１ｂを同時に形成できる。また、１オクターブ分の鍵基材を上記のように配置しておいて、第２切断部１１Ｗ６及び第２切断部１１Ｂ６にて、同時に切断すれば、高音部Ｈの白鍵１１ｗ及び黒鍵１１ｂを同時に形成できる。この場合、白鍵１１ｗ及び黒鍵１１ｂの後端面は、鍵の並び方向に対して所定の角度を有する。なお、この場合も、１オクターブ分の鍵基材を同時に切断する必要はなく、数鍵分の鍵基材１１Ｗ及び鍵基材１１Ｂを同時に切断してもよい。また、より多く（例えば、中音部Ｍ及び高音部Ｈを構成する２４鍵分）の鍵基材１１Ｗ及び鍵基材１１Ｂを同時に切断してもよい。
【００４４】
また、この場合、上記実施形態のフレーム基材１２Ａにおいて、低音部側から高音部側へ向かうに従って、徐々に前端側に近づくような複数の鍵支持部１３をさらに設けて、各鍵を支持すればよい。また、質量体の質量を調整して、低音部側の鍵から高音部側の鍵へ向かうに従って鍵タッチ感が徐々に軽くなるようにすればよい。他の構成は、上記実施形態と同様であるので、説明を省略する。このように構成しても、上記実施形態と同様に、鍵盤装置のコストを削減できる。
【００４５】
また、図１０に示すように、黒鍵１１ｂの後端が、隣接する白鍵１１ｗの後端よりも後方に位置するようにしてもよい。この場合も、鍵基材１１Ｗと同様に、鍵基材１１Ｂを黒鍵の音名ごとに設ければよい。そして、図１１に示すように、鍵基材１１Ｗを音名順に配置し、かつ鍵基材１１Ｂを所定の鍵基材１１Ｗの間に配置した状態において、鍵基材１１Ｂの後端が鍵基材１１Ｗの後端よりも後方に位置するように、鍵基材１１Ｗ及び鍵基材１１Ｂをそれぞれ形成すればよい。そして、この状態において、鍵基材１１Ｂのリブ１１Ｂ１〜リブ１１Ｂ４の領域が、隣接する鍵基材１１Ｗのリブ１１Ｗ１〜リブ１１Ｗ４の領域よりも後方に位置するようにすればよい。そして、鍵基材１１Ｗの音名の順に、リブ１１Ｗ１〜リブ１１Ｗ４の領域が徐々に前端に近づくようにし、鍵基材１１Ｂの音名の順にリブ１１Ｂ１〜リブ１１Ｂ４の領域が徐々に前端に近づくようにすればよい。また、上記実施形態と同様に、各鍵における切断部の前後方向の間隔は同一である。ただし、鍵基材１１Ｂにおける切断部の間隔は、鍵基材１１Ｗにおける切断部の間隔よりもやや大きい。なお、この場合も、図９を用いて説明した例と同様に、鍵基材１１Ｗ（Ｃ）は、第１切断部１１Ｗ５を有さない。
【００４６】
また、鍵基材１１Ｗ（Ｃ）と鍵基材１１Ｗ（Ｂ）をそれぞれの前端を揃えて並べた状態において、鍵基材１１Ｗ（Ｃ）の第２切断部１１Ｗ６は、鍵基材１１Ｗ（Ｂ）の第１切断部１１Ｗ５よりも僅かに前方に位置する。また、鍵基材１１Ｂ（Ｃ＃）と鍵基材１１Ｂ（Ａ＃）をぞれぞれの前端位置を揃えて並べた状態において、鍵基材１１Ｂ（Ｃ＃）の第２切断部１１Ｂ６は、鍵基材１１Ｂ（Ａ＃）の第１切断部１１Ｂ５よりも僅かに前方に位置する。
【００４７】
この場合も、図９を用いて説明した例と同様に、低音部Ｌに属する白鍵１１ｗ及び黒鍵１１ｂは、鍵基材１１Ｗ及び鍵基材１１Ｂを第１切断部１１Ｗ５及び第１切断部１１Ｂ５にてそれぞれ切断して形成され、中音部Ｍに属する白鍵１１ｗ及び黒鍵１１ｂは、鍵基材１１Ｗ及び鍵基材１１Ｂを第２切断部１１Ｗ６及び第２切断部１１Ｂ６にてそれぞれ切断して形成される。また、高音部Ｈに属する白鍵１１ｗ及び黒鍵１１ｂは、鍵基材１１Ｗ及び鍵基材１１Ｂを第３切断部１１Ｗ７及び第３切断部１１Ｂ７にてそれぞれ切断して形成される。また、この場合も、鍵基材１１Ｗ及び鍵基材１１Ｂを１つずつ切断してもよいが、次のように、複数の鍵基材をまとめて同時に切断してもよい。すなわち、鍵基材１１Ｗ（Ｃ）乃至鍵基材１１Ｗ（Ｂ）の７鍵分の鍵基材１１Ｗをそれらの音名順に並べれば、弓鋸盤、帯鋸盤、丸鋸盤などの切断機の刃が各第１切断部１１Ｗ５に直線的に通るように、前記７鍵分の鍵基材１１Ｗを前記切断機にセットすることができる。これにより、前記切断機を用いて、前記７鍵分の鍵基材１１Ｗを、同時に切断することができる。すなわち、中音部Ｍの白鍵１１ｗを同時に形成できる。また、鍵基材１１Ｂ(Ｃ＃)乃至鍵基材１１Ｂ（Ａ＃）の５鍵分の鍵基材１１Ｂをそれらの音名順に並べれば、弓鋸盤、帯鋸盤、丸鋸盤などの切断機の刃が各第１切断部１１Ｂ５に直線的に通るように、前記５鍵分の鍵基材１１Ｂを前記切断機にセットすることができる。これにより、前記切断機を用いて、前記５鍵分の鍵基材１１Ｂを、同時に切断することができる。すなわち、中音部Ｍの黒鍵１１ｂを同時に形成できる。また、中音部Ｍの白鍵１１ｗを同時に形成するのと同様に、高音部Ｈの白鍵１１ｗを同時に形成できる。また、中音部Ｍの黒鍵１１ｂを同時に形成するのと同様に、高音部Ｈの黒鍵１１ｂを同時に形成できる。この場合も、白鍵１１ｗ及び黒鍵１１ｂの後端面は、鍵の並び方向に対して所定の角度を有する。なお、この場合も、数鍵分の鍵基材１１Ｗを同時に切断してもよい。また、より多く（例えば、中音部Ｍ及び高音部Ｈを構成する１４鍵分）の鍵基材１１Ｗを同時に切断してもよい。また、数鍵分の鍵基材１１Ｂを同時に切断してもよい。また、より多く（例えば、中音部Ｈ及び高音部Ｈを構成する１０鍵分）鍵基材１１Ｂを同時に切断してもよい。
【００４８】
また、この場合、上記実施形態のフレーム基材１２Ａにおいて、黒鍵用の鍵支持部１３を隣接する白鍵用の鍵支持部１３よりも後方に位置させ、低音部から高音部に向かうに従って、前記白鍵用の鍵支持部１３及び前記黒鍵用の鍵支持部１３を徐々に前端側へ近づけるように設けて、各鍵を支持すればよい。また、図１２に示すように、フレーム基材１２Ａを黒鍵１１ｂの後端に合わせて斜めに切断できるように、鍵の並び方向に対して所定の角度をなす切断部１２Ａ３を設けるとよい。なお、図１２においては、鍵支持部１３の図示を省略している。また、この場合、フレーム基材１２Ａを、鍵タッチ感の異なる複数種類の鍵盤装置間において共通に用いることができるようにするため、鍵の並び方向に対する角度が互いに異なる第１切断部１２Ａ３〜第５切断部１２Ａ７を設けるとよい。そして、各切断部に沿って、複数の鍵支持部１３を設ければよい。また、上記実施形態及びその変形例においては、フレーム基材１２Ａの第１切断部１２Ａ１及び第２切断部１２Ａ２は、リブのない部分であるとしたが、この例においては、切断部１２Ａ３〜１２Ａ７は、間隔をおいて配置された複数の穴（すなわち、ミシン目）である。上記実施形態の第１切断部１２Ａ１及び第２切断部１２Ａ２を、ミシン目にしてもよい。また、フレーム基材１２Ａの各切断部は、断面形状がＶ字型の溝であってもよい。上記のように構成した鍵盤装置によっても、コストを削減できる。
【００４９】
また、上記実施形態及びその変形例においては、全ての白鍵１１ｗ及び黒鍵１１ｂについて、貫通孔Ｋｗ及び貫通孔Ｋｂから鍵の後端までの距離を同一としたが、次に説明するように、鍵のねじり剛性を高めるために、長い鍵ほど、貫通孔Ｋｗ及び貫通孔Ｋｂから鍵の後端までの距離が大きくなるように、貫通孔Ｋｗ及び貫通孔Ｋｂを設ける位置を設定してもよい。すなわち、中音部Ｍに属する白鍵１１ｗ及び黒鍵１１ｂの貫通孔Ｋｗ及び貫通孔Ｋｂを設ける位置を、高音部Ｈに属する白鍵１１ｗ及び黒鍵１１ｂの貫通孔Ｋｗ及び貫通孔Ｋｂを設ける位置よりも、やや前方に設定してもよい。さらに、低音部Ｌに属する白鍵１１ｗ及び黒鍵１１ｂの貫通孔Ｋｗ及び貫通孔Ｋｂを設ける位置を、中音部Ｍに属する白鍵１１ｗ及び黒鍵１１ｂの貫通孔Ｋｗ及び貫通孔Ｋｂを設ける位置よりも、やや前方に設定してもよい。押離鍵操作位置が鍵の左端部又は右端部であると、鍵の長手方向の軸回りにねじれが生じ、このねじれの量は、鍵の支点から前記押離鍵操作位置までの距離が大きいほど大きくなる。すなわち、鍵が長いほど、大きなねじれが発生する可能性がある。したがって、上記のように、長い鍵ほど貫通孔Ｋｗ及び貫通孔Ｋｂより後方の部分を長くすることにより、長い鍵ほどねじり剛性を高めることができ、大きなねじれの発生を防止できる。なお、一部の音域においてのみ鍵の長さに応じて貫通孔Ｋｗ及び貫通孔Ｋｂを設ける位置を決定し、他の音域においては、鍵の長さに関係なく、鍵の後端からの距離が同一となるように貫通孔Ｋｗ及び貫通孔Ｋｂをそれぞれ設けてもよい。
【００５０】
また、上記実施形態及びその変形例における鍵盤装置の音域は３オクターブであるが、より音域の広い鍵盤装置であってもよいし、逆に、より音域の狭い鍵盤装置であってもよい。また、上記実施形態のように、階段状に鍵の長さを異ならせる場合、１オクターブ単位で鍵の長さを異ならせる必要はなく、数鍵ごとに鍵の長さを異ならせてもよい。また、鍵基材１１Ｗ及び鍵基材１１Ｂの切断部同士の間隔を狭くして、切断部の数を増やしてもよいし、逆に、切断部同士の間隔を広くして、切断部の数を減らしてもよい。また、各切断部の間隔は、等間隔でなくてもよい。例えば、前端側に近いほど、切断部同士の間隔を狭くしてもよいし、逆に、後端側に近いほど、切断部同士の間隔を狭くしてもよい。また、一部の鍵（例えば、中音部Ｍ及び高音部Ｈに属する鍵）を鍵基材１１Ｗ及び鍵基材１１Ｂを用いて形成し、他の鍵（例えば、低音部Ｌに属する鍵）を、鍵基材１１Ｗ及び鍵基材１１Ｂを用いることなく、専用の鍵としてもよい。すなわち、前記他の鍵を、鍵に割り当てられた音高ごとに樹脂成型により形成してもよい。
【００５１】
また、上記実施形態及びその変形例においては、ハンマー１６ｗ及びハンマー１６ｂによって、それぞれ白鍵１１ｗ及び黒鍵１１ｂの前端側を上方へ付勢するようにした。しかし、ハンマー１６ｗ及びハンマー１６ｂに代えて、バネによって白鍵１１ｗ及び黒鍵１１ｂの前端を上方へ付勢してもよい。この場合、鍵ごとに、バネ定数及び離鍵状態におけるバネの付勢力を調整して、低音部Ｌから高音部Ｈに向かうに従って鍵タッチ感を軽くすればよい。
【００５２】
上記実施形態及びその変形例においては、低音部Ｌから高音部Ｈに向かうに従って、鍵の前端の鍵タッチ感を徐々に軽くしたが、必ずしもこのように構成する必要はなく、各音域における鍵の前端の鍵タッチ感を同一とし、高音域に向かうに従って、音域ごとに段階的に鍵タッチ感が軽くなるようにしてもよい。また、一部の音域においてのみ、音高順に鍵タッチ感が軽くなるようにしてもよい。
【符号の説明】
【００５３】
１１ｗ・・・白鍵、１１ｂ・・・黒鍵、１１Ｗ，１１Ｂ・・・鍵基材、１１Ｗ５，１１Ｂ５・・・第１切断部、１１Ｗ６，１１Ｂ６・・・第２切断部、１１Ｗ７，１１Ｂ７・・・第３切断部、１１Ｗ８，１１Ｂ８・・・第４切断部、１２・・・鍵フレーム、１２Ａ・・・フレーム基材、１２Ａ１・・・第１切断部、１２Ａ２・・・第２切断部、１３・・・鍵支持部、ＦＲ・・・フレーム
【図１】
2013041079.tif 000003
【図２】
2013041079.tif 000004
【図３】
2013041079.tif 000005
【図４】
2013041079.tif 000006
【図５】
2013041079.tif 000007
【図６】
2013041079.tif 000008
【図７】
2013041079.tif 000009
【図８】
2013041079.tif 000010
【図９】
2013041079.tif 000011
【図１０】
2013041079.tif 000012
【図１１】
2013041079.tif 000013
【図１２】
2013041079.tif 000014